(57)【要約】  【課題】  被筆記面への引っ掛かりを減少しながらボール飛び及び泣き出し現象を防止するとともに製造完成時における寸法測定を正確でしかも簡単に行う。  【解決手段】  チップ前端部１にチップ本体Ａ１の軸線Ｘと略直角に交差する先端平坦面４ａを形成したため、傾斜筆記した際に、チップ前端部１の先端平坦面４ａの外縁４ｂが被筆記面Ｂ１へ向けて極端に突出しない。更に、該先端平坦面４ａのボール側内縁４ｃの断面角度が鋭く尖らないため、転写ボール３を保持する先端肉厚が薄くならず、転写ボール３に対する保持強度が十分に確保されると同時に、転写ボール３の回転に伴って吐出したインキをボール側内縁４ｃで掻き取ることもない。また、目盛り付き顕微鏡でボール先端側から視た際には、カシメ部４の先端外縁４ｂと先端内縁４ｃが先端平坦面４ａを挟んで同一平面上に配置されるため、これら両縁を一回で同時にピント合わせ可能となり、拡大投影機で転写ボール３を側方から視た際には、先端平坦面４ａが一直線となって測定基準となり易い。  【選択図】      図１
2005205603.tif 000002
【特許請求の範囲】
【請求項１】
チップ本体にテーパ状のチップ前端部とボールハウスを形成し、このボールハウス内に挿入された転写ボールを、該チップ前端部の先端から一部突出させて回転自在に抱持するボールペンチップにおいて、
前記チップ前端部に、前記チップ本体の軸線と略直角に交差する先端平坦面を形成したことを特徴とするボールペンチップ。
【請求項２】
上記チップ前端部の先端平坦面が、上記転写ボールを回転自在に抱持するために該チップ前端部のカシメ加工により形成されたカシメ部の先端面であることを特徴とするボールペンチップ。
【請求項３】
チップ本体に形成されたテーパ状のチップ前端部をカシメ加工して、ボールハウス内に挿入された転写ボールを、該チップ前端部の先端から一部突出させて回転自在に抱持するボールペンチップの製造方法において、
前記カシメ加工を行う前に、上記チップ前端部の前端縁を所定角度に傾斜した面を形成し、その後工程で、この傾斜面が形成されたチップ前端部をカシメ加工してカシメ部を形成し、このカシメ部に、上記チップ本体の軸線と略直角に交差する先端平坦面を形成したことを特徴とするボールペンチップの製造方法。
【発明の詳細な説明】
【技術分野】
【０００１】
本発明は、ボールハウス内に転写ボールを回転自在に抱持するボールペンチップ及びその製造方法に関し、詳しくは、筆記角度を拡大して被筆記面への引っ掛かりを減少させるものに関する。
【背景技術】
【０００２】
従来、この種のボールペンチップとして、予め切削加工によりボールハウス（ボール抱持室）の外周に配置されるチップ前端部の先端に傾斜面（斜面部）を形成し、次いで、このチップ前端部（斜面部の外周側壁部）をカシメ加工により内方変形させて、先細状のテーパー面（先端テーパー部）を形成し、この先細テーパー面の開き角度を１００度〜１７０度に設定することにより、傾斜筆記に伴ってボール以外の部分が被筆記面に接近しても、該被筆記面への引っ掛かりを減少させて、筆記感を損なうことなく、良好な筆記性能を得るようにしたものがある（例えば、特許文献１参照）。
また、カシメ加工を施して転写ボールが回転自在に抱持された後に、この転写ボールに中心合せピンを当接させ、該中心合せピンを中心として切削刃を回転させながらカシメ部（縮径部）に当接させることにより、このカシメ部の前端外縁から角状に突出する部分を切削加工して、材料の肉厚が周方向へ均一な先細状のテーパー面（切削帯部）を形成し、その結果、筆記時、筆記方向や筆記角度によって紙面などの被筆記面に対する引っ掛かり感を極力抑制しているものがある（例えば、特許文献２参照）。
【０００３】
しかし乍ら、このような従来のボールペンチップによれば、カシメ加工後の製造完成状態でチップ前端部の先端が先細テーパー状に鋭く尖った傾斜面となるため、転写ボールを保持する先端肉厚が薄くなり過ぎて、転写ボールに対する保持強度が低下し、それによりボール飛びが発生し易くなるという問題があった。
更にこれと同時に、転写ボールの回転に伴って吐出したインキが、鋭く尖ったボール側内縁で掻き落とされてチップ後方へ徐々にせり上がり、このせり上がったインキがペン先を汚す、所謂「泣き出し」現象が発生して、被筆記面へのボテになるという問題があった。
また、ボールペンチップの製造完了時においては、品質管理上の理由から、特にカシメ部の先端外径及び先端内径や、チップ前端部の先端からのボール突出量などを精密に寸法測定する必要がある。
しかし、この場合も従来のボールペンチップは、測定基準となるチップ前端部の先端が先細テーパー状に尖った傾斜面となるため、カシメ部の先端外径及び先端内径を計測するために目盛り付き顕微鏡でボール先端側からカシメ部の先端外縁と先端内縁を視ても、これら両者を一回で同時にピント合わせすることができず、別々にピント合わせする必要があるから測定作業に手間取るだけでなく測定ミスが発生し易いという問題がある。
しかも鋭く尖ったチップ前端部の先端縁は、カシメ加工や切削加工の際の加工精度のバラツキなどで波形に曲がり易い。その結果、チップ前端部のボール突出量を計測するために拡大投影機で転写ボールを側方から視てもチップ側の測定基準を決め難く、特にボール径が小さくなるのに従って顕著になって、測定精度を上げられないという問題を生じた。
一方、特許文献２の場合には、カシメ加工を施した後にカシメ部の切削加工を行うため、切削で発生した切粉が転写ボールとボールハウスの間に入り込み、これを噛み込んで転写ボールが回転不良を起こす恐れがあるという問題があった。
【特許文献１】特開２００３−３４１２７４号公報（第２−４頁、図１−３）
【特許文献２】特許第３２４８３６３号公報（第２頁、図１）
【発明の開示】
【発明が解決しようとする課題】
【０００４】
本発明は、上記従来事情に鑑みてなされたもので、その課題とするところは、被筆記面への引っ掛かりを減少しながらボール飛び及び泣き出し現象を防止するとともに製造完成時における寸法測定を正確でしかも簡単に行えるボールペンチップ及びその製造方法を提供することにある。
【課題を解決するための手段】
【０００５】
上記課題を解決するために、第一の発明では、チップ本体にテーパ状のチップ前端部とボールハウスを形成し、このボールハウス内に挿入された転写ボールを、該チップ前端部の先端から一部突出させて回転自在に抱持するボールペンチップにおいて、前記チップ前端部に、前記チップ本体の軸線と略直角に交差する先端平坦面を形成したことを特徴とする。
また、第二の発明では、上記第二の発明の構成に加えて、上記チップ前端部の先端平坦面が、上記転写ボールを回転自在に抱持するために該チップ前端部のカシメ加工により形成されたカシメ部の先端面であることを特徴とする。
そして、第三の発明では、チップ本体に形成されたテーパ状のチップ前端部をカシメ加工して、ボールハウス内に挿入された転写ボールを、該チップ前端部の先端から一部突出させて回転自在に抱持するボールペンチップの製造方法において、前記カシメ加工を行う前に、上記チップ前端部の前端縁を所定角度に傾斜した面を形成し、その後工程で、この傾斜面が形成されたチップ前端部をカシメ加工してカシメ部を形成し、このカシメ部に、上記チップ本体の軸線と略直角に交差する先端平坦面を形成したことを特徴とする。
【発明の効果】
【０００６】
本発明は、上記構成により下記の作用効果を奏する。
第一の発明によれば、チップ前端部にチップ本体の軸線と略直角に交差する先端平坦面を形成したため、傾斜筆記した際に、チップ前端部の先端平坦面の外縁が被筆記面へ向けて極端に突出しない。更に、該先端平坦面のボール側内縁の断面角度が鋭く尖らないため、転写ボールを保持する先端肉厚が薄くならず、転写ボールに対する保持強度が十分に確保されると同時に、転写ボールの回転に伴って吐出したインキをボール側内縁で掻き取られてチップ後方へせり上がることもない。また、目盛り付き顕微鏡でボール先端側から視た際には、カシメ部の先端外縁と先端内縁が先端平坦面を挟んで同一平面上に配置されるため、これら両縁を一回で同時にピント合わせ可能となり、拡大投影機で転写ボールを側方から視た際には、先端平坦面が一直線となって測定基準となり易い。
したがって、被筆記面への引っ掛かりを減少しながらボール飛び及び泣き出し現象を防止するとともに製造完成時における寸法測定を正確でしかも簡単に行うことができる。
よって、チップ前端部の先端が先細テーパー状に尖った傾斜面となる従来技術と比べ、ボール飛びや泣き出しという致命的な構造的欠陥がなく、しかも精密な品質管理を行えて、これら有効な機能を全て持ち合わせることができる。
【０００７】
第二の発明によれば、チップ本体の軸線と略直角に交差する先端平坦面をカシメ加工により形成したため、ボールへの切り粉の噛み込みが無いとともに、加工スピードが速く生産性に優れている。
【０００８】
第三の発明によれば、先にチップ前端部の前端縁を所定角度に傾斜させてから、次にカシメ加工するだけで、このカシメ部の先端平坦面がチップ本体の軸線と略直角に配置される。
したがって、チップ前端部の先端平坦面を簡単且つスピーディーな作業で適正角度に配置することができる。
また、カシメ加工後に切削加工を行う従来技術と比べ、切粉が転写ボールとボールハウスの間に噛み込む恐れがなく、それによる回転不良を防止できる。
【発明を実施するための最良の形態】
【０００９】
以下、本発明の一実施例を図面に基づいて説明する。
本発明のボールペンチップＡは、図１及び図２（ａ）〜（ｃ）に示す如く、移動不能に保持された金属製の円柱材（図示せずに）に対して、多数の切削加工を順次施すことで、そのチップ本体Ａ１の先端側に前端へ向け縮径されるテーパ状のチップ前端部１を形成して、内部にインク誘導孔Ａ２を貫通開穿するとともに、ボールハウス２を凹設している。
そして、この後工程で、このボールハウス２内に転写ボール３を挿入してから、該チップ本体Ａ１のチップ前端部１をカシメ工具（図示せず）によりカシメ加工してカシメ部４を形成することで、前記転写ボール３を回転自在に抱持している。
【００１０】
前記チップ前端部１の前端縁１ａには、図２（ｂ）に示す如く、上述した多数の切削加工の途中に追加した工程で面取りを行うか又は、多数の切削加工のうちどれか一つの工程で同時に面取りを行い、その後工程で図２（ｃ）に示す如く、この面取りされたチップ前端部１′のカシメ加工を行って前記カシメ部４を形成している。
【００１１】
この面取りとは、前記チップ前端部１の前端縁１ａから外側に突出する角部を削り落として斜面を形成するか、又は断面円弧状の丸みを付ける加工をいい、本実施の形態の好ましい一例によれば、この面取り工程で該チップ前端部１の先端面全体を切削して、上記チップ本体Ａ１の軸線Ｘに対し所定角度で傾斜する傾斜面１ｂを形成している。
【００１２】
更に、この傾斜面１ｂの傾斜角度θ１は、切削する前におけるチップ本体Ａ１の軸線Ｘと直交するチップ前端部１の先端面に対して約１０〜２０度に設定している。
【００１３】
その理由は、傾斜面１ｂの傾斜角度θ１が約２０度よりも大きいと、カシメ部４の先端肉厚が薄くなり過ぎて、カシメ加工後にチップ前端部１における転写ボール３に対する保持強度力が低下して、該チップ前端部１の先端縁側が変形し、ボール飛びが発生する恐れがあるため、約２０度以下にする必要がある。
これと逆に傾斜面１ｂの傾斜角度θ１が約１０度よりも小さいと、標準的な筆記角度（約６５〜７５度）で筆記した際に、カシメ部４の先端外縁４ｂから被筆記面Ｂへの突出量が増大するため、約１０度以上に設定する必要がある。
【００１４】
また、その後のカシメ加工で前記傾斜面１ｂが形成されたチップ前端部１′を内方へ変形させてカシメ部４を形成することにより、図１及び図２（ｃ）に示す如く、このカシメ部４の先端に、前記チップ本体Ａ１の軸線Ｘと略直角に交差する先端平坦面４ａを形成する。
この先端平坦面４ａの寸法公差は約±５度に設定しており、詳しくは先端平坦面４ａがチップ本体Ａ１の軸線Ｘに対して約８５〜９５度に配置される。
【００１５】
次に、斯かるボールペンチップＡの作用効果について説明する。
チップ前端部１の前端縁１ａを面取りし、この面取りされたチップ前端部１をカシメ加工してカシメ部４を形成し、このカシメ部４の先端に、チップ本体Ａ１の軸線Ｘと略直角に交差する先端平坦面４ａを形成したたため、筆記の際に、面取り加工されたカシメ部４の先端外縁４ｂが例えば紙面などの被筆記面Ｂから離れる。
【００１６】
その具体例を図３（ａ）に示せば、被筆記面Ｂに対するボールペンチップＡの筆記角度θ２を例えば７０度にして筆記テストすると、その筆圧により転写ボール３のみが当初の被筆記面Ｂから所定深さまで潜り込んだとしても、カシメ部４の先端外縁４ｂは、該転写ボール３の周囲に位置する被筆記面Ｂの表面と略平行に対向して全く接触せず、両者間に十分な間隔を保ちながら筆記できた。
【００１７】
これに対して図３（ｂ）に示す如く、上述したボールペンチップＡと同じ寸法比率でチップ前端部１の前端縁１ａを面取りせずにそのままカシメ加工してカシメ部４を形成した従来構造のボールペンチップＡ′を同じ筆記条件で筆記テストを行い、その筆圧により転写ボール３のみが当初の被筆記面Ｂから所定深さまで潜り込むと、カシメ部４の先端外縁４ｂは、該転写ボール３の周囲に位置する被筆記面Ｂの表面に接触して引っ掛かる感覚があった。
【００１８】
よって、本実施の態様のボールペンチップＡは、従来構造のボールペンチップＡ′と比較し、簡単な面取り加工を追加するだけで、筆記角度θ１が確実に拡大して被筆記面Ｂ１に対する引っ掛かりを防止できるといえる。
【００１９】
更に、本実施の態様のボールペンチップＡにおける構造上の特徴として、上記面取り工程でチップ前端部１の前端面を所定角度の傾斜面１ｂとしたため、チップ前端部１の前端縁１ａを例えば断面円弧状に面取りするよりも切削加工が容易になる。
その結果、面取りを短時間で高精度に行うことができて、製品の均一化を低コストに行えるという利点がある。
【００２０】
また、前記傾斜面１ｂの傾斜角度θ１を約１０〜２０度に設定して、その後のカシメ加工によりチップ本体Ａ１の軸線Ｘと略直角に交差する先端平坦面４ａを形成したため、カシメ部４の肉厚寸法が薄くなり過ぎず、転写ボール３に対する保持強度の低下によるボール飛びが防止されるとともに、カシメ部４の先端外縁４ｂが被筆記面Ｂ１から離れる。
その結果、耐久性の向上と被筆記面Ｂ１に対する引っ掛かり防止とを両立でき、しかもチップ前端部１の先端平坦面４ａを簡単且つスピーディーな作業で適正角度に配置できるという利点がある。
【００２１】
そして、ボールペンチップＡの製造完了時において、カシメ部４の先端外径Ｄ１及び先端内径Ｄ２と、チップ前端部１の先端からのボール突出量Ｌとの寸法測定について説明する。
先ず、カシメ部４の先端外径Ｄ１及び先端内径Ｄ２を寸法測定する場合には、チップ本体Ａ１の軸線Ｘにセットされた目盛り付き顕微鏡でボール先端側から、カシメ部４の先端外縁４ｂと先端内縁４ｃを視るが、この際、これら先端外縁４ｂと先端内縁４ｃは先端平坦面４ａを挟んで同一平面上に配置されるため、一回で同時に両者のピント合わせができる。
【００２２】
これに対して図４に示す如く、上述したボールペンチップＡと同じ寸法比率でチップ前端部１の前端縁１ａを面取りせずにそのままカシメ加工してカシメ部４を形成することにより、先端外縁４ｂが先端内縁４ｃに比べて前方へ突出した従来構造のボールペンチップＡ′は、同様に目盛り付き顕微鏡でボール先端側からカシメ部４の先端外縁４ｂと先端内縁４ｃを視ても、これら両者はチップ本体Ａ１の軸線Ｘ方向へずれて配置されるため、一回で同時にピント合わせすることができず、別々にピント合わせする必要がある。
【００２３】
更に、図５に示す特開２００３−３４１２７４号公報に記載されるボールペンチップＡ″も、チップ前端部１の先端が先細テーパー状に傾斜して、カシメ部４の先端内縁４ｃが先端内縁４ｃより前方へ突出する構造のために、これら先端外縁４ｂと先端内縁４ｃを一回で同時にピント合わせすることができず、別々にピント合わせする必要がある。
【００２４】
また、チップ前端部１の先端からのボール突出量Ｌを寸法測定する場合には、チップ本体Ａ１の軸線Ｘと直交してセットされた拡大投影機でボール側方から、カシメ部４の先端を視るが、この際、チップ前端部１の先端に形成された先端平坦面４ａはチップ本体Ａ１の軸線Ｘと略直角に交差して一直線状に配置されるため、該先端平坦面４ａを測定基準として転写ボール３の先端位置までを測定し易い。
【００２５】
これに対して、図４及び図５に示すボールペンチップＡ′，Ａ″は、チップ前端部１の先端外縁４ｂ又は先端内縁４ｃが鋭く尖っているため、カシメ加工や切削加工の際の加工精度のバラツキなどで波形に曲がり易くて測定基準を決め難い。この傾向は、特にボール径が小さくなるのに従って顕著になる。
【００２６】
更に図５に示すボールペンチップＡ″は、カシメ部４の先端内縁４ｃが、鋭く尖った構造であるため、転写ボール３の回転に伴って吐出したインキが、この先端内縁４ｃで掻き落とされて徐々にチップ後方へせり上がり、このせり上がったインキがペン先を汚す、所謂「泣き出し」現象を発生する恐れがある。
【００２７】
これに対して、図１に示す本発明のボールペンチップＡは、チップ前端部１にチップ本体Ａ１の軸線Ｘと略直交する先端平坦面４ａを有するため、転写ボール３の回転に伴うインキのせり上がりが無いと同時に、転写ボール３を保持する先端肉厚が薄くならず、転写ボール３に対する保持力強度が十分に確保される。
【００２８】
尚、上記チップ前端部１の前端縁１ａに施した面取りでは、切削加工でチップ前端部１の先端面全体を所定角度の傾斜面１ｂに形成したが、本発明はこれに限定されず、切削加工に代えて研磨材を使って面取りしても良い。
【図面の簡単な説明】
【００２９】
【図１】本発明の一実施例を示すボールペンチップの部分的な縦断正面図である。
【図２】本発明の一実施例を示すボールペンチップの製造工程の一例を工程順に従って（ａ）〜（ｃ）に順次示した説明図である。
【図３】筆記状態を示す部分的な縦断正面図であり、（ａ）が本発明のボールペンチップを示し、（ｂ）が従来のボールペンチップの一例を示している。
【図４】従来のボールペンチップの一例を示す部分的な縦断正面図である。
【図５】従来のボールペンチップの一例を示す部分的な縦断正面図である。
【符号の説明】
【００３０】
Ａ  ボールペンチップ                    Ａ１  チップ本体
Ｘ  軸線                                １  チップ前端部
１′  傾斜面が形成されたチップ前端部    １ａ  前端縁
１ｂ  傾斜面                            ２  ボールハウス
３  転写ボール                          ４  カシメ部
４ａ  先端平坦面
【図１】
2005205603.tif 000003
【図２】
2005205603.tif 000004
【図３】
2005205603.tif 000005
【図４】
2005205603.tif 000006
【図５】
2005205603.tif 000007